(57)【要約】モバイルデータモデムを顧客宅内機器デバイスに自動的に接続する方法は、モバイルデータモデムの構成ファイル内に、モバイルデータモデム特有のパラメータを含む（１００）。モバイルデータモデムが顧客宅内機器デバイスに取り付けされたときは、ＣＰＥデバイスは次いで構成ファイルを読み出し、モバイルデータモデムのパラメータを、モバイルデータモデムのパラメータに適合するパラメータテーブルと突き合わせる（１３０〜１５０）。構成ファイルは、具体的には構成ファイル内に製品および／またはベンダ特有のパラメータを含む。
2017515194.tif 000002
【特許請求の範囲】
【請求項１】
顧客宅内機器デバイス（ＡＧＷ）にモバイルデータモデム（２０）に接続する方法であって、
モバイルデータモデム特有のパラメータを、前記モバイルデータモデムの構成ファイル内に含めるステップ（１００）と、
前記モバイルデータモデムが前記顧客宅内機器デバイスに取り付けされたときに、前記ＣＰＥ（顧客宅内機器）デバイスによって前記構成ファイルを読み出し（１４０）、前記モバイルデータモデムの前記パラメータを、前記モバイルデータモデムの前記パラメータに適合する前記ＣＰＥデバイスの製品テーブルと突き合わせるステップ（１５０）と、
を含む、前記方法。
【請求項２】
前記マッチする製品テーブルを選択するステップと、
前記モバイルデータモデムの動作のために、前記選択された製品テーブルに従って、前記顧客宅内機器デバイスにＵＳＢドライバをロードするステップと、
を含む、請求項１に記載の方法。
【請求項３】
前記顧客宅内機器デバイスは、パラメータの特定のリストに従って異なるフィールドを有する少なくとも２つのパラメータテーブルを備える、請求項１または２に記載の方法。
【請求項４】
前記構成ファイル内に、製品識別番号（ＰＩＤ）および／またはベンダ識別番号（ＶＩＤ）を備える、請求項１、２または３に記載の方法。
【請求項５】
モバイルデータモデムをアクセスゲートウェイに自動的に接続する方法であって、
モバイルデータモデム特有のパラメータを、前記モバイルデータモデムの構成ファイル内に含めるステップと、
前記パラメータを含んだ前記構成ファイルを、前記モバイルデータモデムに記憶するステップと、
特定のモバイルデータモデムに対する製品テーブルを、前記アクセスゲートウェイ内に含めるステップと、
前記モバイルデータモデムを、前記アクセスゲートウェイのＵＳＢスロットに挿入するステップと、
前記モバイルデータモデムが前記アクセスゲートウェイに取り付けされた後に、前記アクセスゲートウェイが前記構成ファイルを読み出すステップと、
前記構成ファイルに含められた通りの前記モバイルデータモデムの前記パラメータを、前記モバイルデータモデムの前記パラメータに適合する製品テーブルと突き合わせるステップと、
前記マッチする製品テーブルを選択するステップと、
前記モバイルデータモデムの動作のために、前記選択された製品テーブルに従って、前記アクセスゲートウェイにＵＳＢドライバをロードするステップと、
を含む、前記方法。
【請求項６】
前記顧客宅内機器デバイスは、パラメータの特定のリストに従って異なるフィールドを有する少なくとも２つのパラメータテーブルを備える、請求項５に記載の方法。
【請求項７】
前記構成ファイル内に、製品識別番号（ＰＩＤ）および／またはベンダ識別番号（ＶＩＤ）を備える、請求項５または６に記載の方法。
【請求項８】
前記モバイルデータモデムは、携帯電話２Ｇ／３Ｇ／４Ｇモデムである、請求項１乃至７のいずれか一項に記載の方法。
【請求項９】
マイクロプロセッサによって実行されたときに請求項１乃至８のいずれか一項に記載の方法を実行する命令をそれに記憶するためのコンピュータ可読記憶媒体。
【請求項１０】
マイクロプロセッサおよび製品テーブルを備えた顧客宅内機器デバイス（ＡＧＷ）であって、各製品テーブルは特定のモバイルデータモデム（２０）のパラメータを備え、前記マイクロプロセッサは、
前記顧客宅内機器デバイスに接続されたモバイルデータモデムの構成ファイルを読み出すことであって、前記構成ファイルは前記モバイルデータモデムの特有のパラメータを含む、読み出すこと、および
前記モバイルデータモデムとの動作のために、前記モバイルデータモデムの前記パラメータにマッチする前記製品テーブルの１つを選択すること、
を行うように適合された、前記顧客宅内機器デバイス。
【請求項１１】
前記顧客宅内機器デバイスは、アクセスゲートウェイ、住宅用ゲートウェイ、企業用ゲートウェイ、ルータ、スイッチ、またはセットトップボックスである、請求項１０に記載の顧客宅内機器デバイス。
【請求項１２】
前記モバイルデータモデムは、前記顧客宅内機器デバイスのＵＳＢポートに接続され、前記マイクロプロセッサは、前記モバイルデータモデムの動作のために、前記選択された製品テーブルに従って前記顧客宅内機器デバイスにＵＳＢドライバをロードするように適合された、請求項１０または１１に記載の顧客宅内機器デバイス。
【請求項１３】
前記顧客宅内機器デバイスは、パラメータの特定のリストに従って異なるフィールドを有する少なくとも２つのパラメータテーブルを備える、請求項１０、１１または１２に記載の顧客宅内機器デバイス。
【請求項１４】
前記構成ファイルおよび前記製品テーブルは、製品識別番号（ＰＩＤ）および／またはベンダ識別番号（ＶＩＤ）を備える、請求項１０乃至１３のいずれか一項に記載の顧客宅内機器デバイス。
【請求項１５】
顧客宅内機器デバイス（ＡＧＷ）と共にモバイルデータモデム（２０）を動作させる方法であって、
前記モバイルデータモデムが前記顧客宅内機器デバイスに取り付けされたときに、前記ＣＰＥ（顧客宅内機器）デバイスによって構成ファイルを読み出すステップ（１４０）であって、前記構成ファイルは、前記モバイルデータモデムのモバイルデータモデム特有のパラメータを含む、ステップと、
前記モバイルデータモデムの前記パラメータを、前記モバイルデータモデムの前記パラメータに適合する前記ＣＰＥデバイスの製品テーブルと突き合わせるステップ（１５０）と、
を含む、前記方法。
【請求項１６】
前記マッチする製品テーブルを選択するステップと、
前記モバイルデータモデムの動作のために、前記選択された製品テーブルに従って、前記顧客宅内機器デバイスにＵＳＢドライバをロードするステップと、
を含む、請求項１５に記載の方法。
【請求項１７】
前記顧客宅内機器デバイスは、パラメータの特定のリストに従って異なるフィールドを有する少なくとも２つのパラメータテーブルを備える、請求項１５または１６に記載の方法。
【請求項１８】
前記構成ファイル内に、製品識別番号（ＰＩＤ）および／またはベンダ識別番号（ＶＩＤ）を備える、請求項１５、１６または１７に記載の方法。
【発明の詳細な説明】
【技術分野】
【０００１】
本発明はＩＰネットワークに、例えばディジタル加入者回線によってサービスプロバイダネットワークに、結合された顧客宅内機器デバイスの分野に関する。
【背景技術】
【０００２】
住宅用ゲートウェイは、エンドユーザの家庭内のデバイスを、インターネットまたは任意の他の広域ネットワーク（ＷＡＮ）に接続するために広く用いられる。住宅用ゲートウェイは特に、銅線または光回線上の高データレート伝送を可能にするディジタル加入者回線（ＤＳＬ）技術を用いる。何年かの間に、データレートおよび範囲において異なるいくつかのＤＳＬ標準、例えばこの関連においてｘＤＳＬと呼ばれるＡＤＳＬおよびＶＤＳＬが設定された。インターネットサービスのための光伝送、例えばｆｉｂｅｒ−ｔｏ−ｔｈｅ  ｈｏｍｅ（ＦＴＴＨ）およびｆｉｂｅｒ−ｔｏ−ｔｈｅ  ｐｒｅｍｉｓｅｓ（ＦＴＴＰ）もよく知られている。住宅用ゲートウェイだけでなく、ルータ、ＷＬＡＮ（無線ローカルエリアネットワーク）フォワーダ、スイッチ、電話機、およびセットトップボックスなどの他のデバイスも、この関連において顧客宅内機器（ＣＰＥ）デバイスと理解される。
【０００３】
多くのＳＯＨＯ（スモールオフィス、ホームオフィス）およびＳＭＥ（中小企業）事業は、彼等のアクセス技術としてｘＤＳＬを選んでおり、これは通常は専用回線を用いるより安価である。しかしｘＤＳＬ回線のドロップアウトは、インターネットおよび電子メールにアクセスできないことによりこれらの会社に大きな犠牲を払う影響を及ぼす場合があり、従っていくつかの顧客は、ｘＤＳＬ回線がダウンしたときに別のパスをもたらすフォールバックソリューションを必要とする。
【０００４】
ゲートウェイに対するＩＳＤＮバックアップソリューションは、すでに知られている。ｘＤＳＬ回線上でインターネット接続性の損失が検出されたときは、ゲートウェイは自動的にＩＳＤＮに切り換える。別の方法は、ｘＤＳＬ回線によるインターネット接続性が利用可能でないときは、ＧＰＲＳ、ＵＭＴＳおよびＬＴＥなどの２Ｇ／３Ｇおよび４Ｇモバイルアクセス技術に切り換えることである。これを達成するために、モバイルネットワークによるＩＰ接続性が可能になるように、モバイルＵＳＢドングルとしても知られるモバイルデータモデムがゲートウェイのＵＳＢスロット内に置かれる。
【発明の概要】
【０００５】
モバイルデータモデムを顧客宅内機器（ＣＰＥ）デバイスに自動的に接続する方法は、上記モバイルデータモデムの構成ファイル内に、モバイルデータモデム特有のパラメータを含む。上記モバイルデータモデムが上記顧客宅内機器デバイスに取り付けされたときに、上記ＣＰＥデバイスは次いで上記構成ファイルを読み出し、上記モバイルデータモデムの上記パラメータを、上記モバイルデータモデムの上記パラメータに適合するパラメータテーブルと突き合わせる。上記顧客宅内機器デバイスは例えば、パラメータの特定のリストに従って異なるフィールドを有する少なくとも２つのパラメータテーブルを備える。上記構成ファイルは、具体的には製品および／またはベンダ特有のパラメータを含む。
【０００６】
本発明の他の特徴において、モバイルデータモデムをアクセスゲートウェイに自動的に接続する方法は、モバイルデータモデム特有のパラメータを上記モバイルデータモデムの構成ファイル内にもたらすステップと、上記パラメータを含んだ上記構成ファイルを上記モバイルデータモデムに記憶するステップと、特定のモバイルデータモデムに対する製品テーブルを、上記アクセスゲートウェイ内に含めるステップと、上記モバイルデータモデムを、上記アクセスゲートウェイのＵＳＢスロットに挿入するステップとを含む。上記モバイルデータモデムが上記ゲートウェイに取り付けされたときは、次いで上記アクセスゲートウェイは、上記構成ファイルを読み出し、上記構成ファイルに含められた通りの上記モバイルデータモデムの上記パラメータを、上記モバイルデータモデムの上記パラメータに適合する製品テーブルと突き合わせ、上記マッチした製品テーブルを選択し、上記モバイルデータモデムの動作のために、上記選択された製品テーブルに従って、上記アクセスゲートウェイにＵＳＢドライバをロードする。
【０００７】
上記モバイルデータモデムは、具体的には携帯電話２Ｇ／３Ｇ／４Ｇモデムである。
【０００８】
顧客宅内機器デバイスは、マイクロプロセッサおよび製品テーブルを備え、各製品テーブルは特定のモバイルデータモデムのパラメータを備え、上記マイクロプロセッサは、モバイルデータモデムが上記顧客宅内機器デバイスに接続された後に、上記モバイルデータモデムの構成ファイルを読み出し、上記モバイルデータモデムとの動作のために、上記モバイルデータモデムの上記パラメータにマッチする上記製品テーブルの１つを選択するように適合される。上記構成ファイルは、上記モバイルデータモデムの特有のパラメータを含む。
【０００９】
好ましい実施形態では上記モバイルデータモデムは、上記顧客宅内機器デバイスのＵＳＢポートに接続され、上記マイクロプロセッサは、上記モバイルデータモデムの動作のために、上記選択された製品テーブルに従って上記顧客宅内機器デバイスにＵＳＢドライバをロードするように適合される。上記顧客宅内機器デバイスは具体的には、パラメータの特定のリストに従って異なるフィールドを有する少なくとも２つのパラメータテーブルを備え、上記構成ファイルおよび上記製品テーブルは、上記顧客宅内機器デバイスと一緒での上記モバイルデータモデムの動作のために正しいパラメータを有する製品テーブルを選択するために、製品識別番号（ＰＩＤ）および／またはベンダ識別番号（ＶＩＤ）を備える。
【００１０】
上記ＣＰＥデバイスは、具体的にはアクセスゲートウェイ、住宅用ゲートウェイ、企業用ゲートウェイ、ルータ、スイッチ、またはセットトップボックスである。
【００１１】
コンピュータ可読記憶媒体は、上記ＣＰＥデバイスの上記マイクロプロセッサによって実行されたときに、ユーザの手動での構成を何ら必要とせずに、モバイルデータモデムを上記ＣＰＥデバイスに自動的に接続する上記方法を実行する、命令を含む。
【図面の簡単な説明】
【００１２】
本発明の好ましい実施形態は、以下を示す概略図面を参照して、例として以下でより詳しく説明される。
【図１】ＣＰＥデバイスとの動作のために適合されたモバイルデータモデムを示す図である。
【図２】ＣＰＥデバイスによるモバイルデータモデムの自動セットアップのための方法ステップを示す図である。
【発明を実施するための形態】
【００１３】
以下の説明では、モバイルデータモデム（ＭＤＭ）を、顧客宅内機器（ＣＰＥ）デバイスに自動的に接続する例示の方法が述べられる。説明のために、好ましい実施形態の十分な理解をもたらすために様々な特定の詳細が述べられる。しかし当業者には、これらの具体的な詳細がなくても本発明が実施され得ることが明らかになるであろう。
【００１４】
好ましい実施形態でのＣＰＥデバイスは、コントローラ、例えばマイクロプロセッサと、オペレーティングシステムが記憶される不揮発性メモリと、ＣＰＥデバイスの動作のための揮発性メモリと、無線動作のためのＷｉ−Ｆｉノードと、ブロードバンド接続、例えばｘＤＳＬ接続とを含む。この種のＣＰＥデバイスは例えばアクセスゲートウェイであり、これは無線ローカルエリアネットワーク（ＷＬＡＮ）内で中心的位置を占める。アクセスゲートウェイは、具体的には住宅用ゲートウェイ、事業用ゲートウェイ、ルータまたはインターネットスイッチである。
【００１５】
ＣＰＥデバイスはｘＤＳＬ接続によって、インターネットサービスをもたらすためのネットワークサービスプロバイダネットワークに接続するように適合される。あるいはＣＰＥデバイスはＬＴＥ接続を用い、またはインターネットサービスをもたらすためのケーブルモデムである。
【００１６】
ＣＰＥデバイスはさらに、インターネットサービスプロバイダとの接続が中断され、データ伝送がもはや不可能になった場合に備えて、バックアップソリューションとしてモバイルデータモデムを含む。モバイルデータモデムは、モバイルＵＳＢドングルとしても知られ、具体的にはＧＰＲＳ、ＵＭＴＳおよび／またはＬＴＥなどの２Ｇ、３Ｇおよび４Ｇモバイルアクセス技術を使用し、ＣＰＥデバイスのＵＳＢスロットに挿入される。モバイルデータモデムは従って、万一インターネット接続が中断された場合に、インターネットとのバックアップデータ伝送を可能にする。
【００１７】
顧客は、ＣＰＥデバイスが従来のｘＤＳＬ／ＥＴＨＷＡＮ接続へのバックアップ接続を有するように、新しいモバイルＵＳＢドングルを実施することを常に求める。ほとんどの場合に必要な実装はドライバに、ゲートウェイに接続されたドングルを認識させるだけである。これがソフトウェアによってなされる必要がある場合は、顧客は新しいビルドを待つ必要があり、これは、各ソフトウェア変更が内部的にテストされる必要があるので、余分な作業量をもたらすことになる。従って顧客が彼の新しいドングルを、新しく実施されたドライバの１つによってそれらがサポートされ得る場合は、コマンドラインインターフェース（ＣＬＩ）によって追加および構成することができるようなソリューションが必要である。実装およびテストの全部の作業量は、顧客に移されることになる。問題のある場合にのみ、コードへの修正または変更を行うことが必要になる。
【００１８】
モバイルデータモデムに対しては、異なる製造業者によってもたらされる、いくつかのタイプを用いることができ、それらに対してそれぞれのＵＳＢドライバがアクセスゲートウェイにおいて必要である。ＵＳＢドライバとして、例えば会社に特有の以下のＬｉｎｕｘドライバ、ｃｄｃ＿ｎｃｍ．ｃ、ｈｗ＿ｃｄｃ＿ｄｒｉｖｅｒ．ｃ、およびｑｍｉ＿ｗｗａｎ．ｃが用いられる。これらのドライバは、ＣＰＥデバイスのためにＩｎｔｅｒｎｅｔ−Ｐｒｏｔｏｃｏｌ−ｏｖｅｒ−Ｅｔｈｅｒｎｅｔ（ＩＰＯＥ）接続がもたらされ得るように、それぞれのモバイルデータモデムの製造業者特有のパラメータを必要とする。
【００１９】
ＣＰＥデバイスＡＧＷ、およびモバイルデータモデム（ＭＤＭ）のいくつかの詳細が図１に示される。ＭＤＭ２０との動作のために、ＣＰＥデバイスＡＧＷのオペレーティングシステムＯＳ１は、追加としてＵＳＢドライバ１０および製品テーブル１１を必要とする。ＣＰＥデバイスＡＧＷはさらに、前述のようにＤＳＬ接続１２およびイーサネット接続１３のためのポート、およびＷｉ−Ｆｉノード１４、ならびにＵＳＢポート１５を含む。
【００２０】
ＭＤＭ２０のオペレーティングシステムＯＳ２は、ＭＤＭ２０がそのＵＳＢポート２２によりＣＰＥデバイスＡＧＷのＵＳＢポート１５と接続されたときに、ＭＤＭ２０を２Ｇ、３Ｇおよび／または４Ｇ無線のためのデータモデムとして動作させるためのベンダ特有のパラメータを備えた、構成ファイル２１を含む。
【００２１】
ＣＰＥデバイスＡＧＷによるモバイルデータモデム２０の自動セットアップのために、図２に示されるような方法が用いられる。第１のステップ１００では、モバイルデータモデムのデバイス特有のパラメータが、モバイルデータモデムの構成ファイル２１に記入される。デバイス特有のパラメータを含んだ構成ファイルは、モバイルデータモデムに記憶される、ステップ１１０。ステップ１００および１１０は、モバイルデータモデムの製造業者によってすでにもたらされる。パラメータは、例えばコマンドラインインターフェース（ＣＬＩ）を用いることによって記憶される。
【００２２】
ドライバｃｄｃ＿ｎｃｍ．ｃ、ｈｗ＿ｃｄｃ＿ｄｒｉｖｅｒ．ｃ、およびｑｍｉ＿ｗｗａｎ．ｃに対しては、例えば以下のパラメータが含められなければならない：
Ａ１）ＵＳＢベンダおよびインターフェースプロパティ：
ここで依存性は以下に対するものである：
ａ）ベンダｉｄ
ｂ）クラス
ｃ）サブクラス
ｄ）プロトコル
例：ＬＴＥスティックとして知られているＥ３９２およびＥ３２７６は、これらのパラメータを用いる。
【００２３】
Ａ２）ＵＳＢベンダ／製品ＩＤおよびインターフェース番号：
ここで依存性は以下に対するものである：
ａ）ベンダ
ｂ）製品
ｃ）インターフェース番号（ドライバが取り付けされる必要がある場所）
例：ＺＴＥ  ＭＦ８２０Ｄはこれらのパラメータを用いる。
【００２４】
別のステップ１２０では、例えば特定の顧客に関連して、異なる種類のモバイルデータモデムに特有のフィールドを備えた製品テーブルが、ＣＰＥデバイスＡＧＷに含められ、上記を参照されたい。このステップは、ＣＰＥデバイスの製造業者によって行われる。
【００２５】
自身のＷＬＡＮにおいてＣＰＥデバイスＡＧＷを使用するエンドユーザは、次いでバックアップソリューションとしてモバイルデータモデム２０を購入し、モバイルデータモデム２０をＣＰＥデバイスＡＧＷのＵＳＢポート１５に挿入することができる（ステップ１３０）。次いでＣＰＥデバイスＡＧＷはモバイルデータモデム２０を初期化し、その初期化の間に、モバイルデータモデム２０の構成ファイル２１に記憶された通りのパラメータが、ＣＰＥデバイスに転送される（ステップ１４０）。次いでＣＰＥデバイスはこれらのパラメータを、ＣＰＥデバイスＡＧＷ内に含められた製品テーブル１１の１つと突き合わせることを試み、製品テーブル１１の１つがモバイルデータモデム２０のパラメータセットとマッチした場合は、その製品テーブルが選択され、パラメータはこの製品テーブルのそれぞれのフィールドに記憶される（ステップ１５０）。次いでＣＰＥデバイスＡＧＷは、ＣＰＥデバイスがモバイルデータモデム２０を認識できるように、この選択された製品テーブルに関連するそれぞれのＵＳＢドライバ１０をロードし（ステップ１６０）、そしてモバイルデータモデム２０はＣＰＥデバイスＡＧＷとの動作のための準備が整う。
【００２６】
実装の詳細：
１）「モバイルデバイス追加」ＣＬＩにおける追加パラメータ
以下のパラメータは、「モバイルデバイス追加」ＣＬＩコマンドの一部として追加される必要がある。
ａ）クラス  −  ドライバが取り付けされる必要があるインターフェースのクラス（デフォルト  −  ０）、
ｂ）サブクラス  −  ドライバが取り付けされる必要があるインターフェースのサブクラス（デフォルト  −  ０）、
ｃ）プロトコル  −  ドライバが取り付けされる必要があるインターフェースのプロトコル（デフォルト  −  ０）、
ｄ）インターフェース番号  −  ドライバが取り付けされる必要があるインターフェース番号（デフォルト  −  ０）、
ｅ）ドライバ  −  （ＱＭＩ／ＮＣＩ／ＨＷＣＤＣ）どのドライバが取り付けされる必要があるかを指定する。
【００２７】
２）すべてのこれらの追加された詳細は、以下のパスにおけるドングルの構成ファイルに記憶される必要がある（／ｔｍｐ／ｍｏｂｉｌｅ＿ｃｏｎｆ  −  これはｍｏｄｅｓｗｉｔｃｈ／ｆｏｒｃｅｕｓｂその他などの他のパラメータを渡すために用いられる既存のファイルである）。
【００２８】
３）構成ファイルに記憶されたこれらの詳細は、ＵＭＴＳカスタムスクリプト、ｕｍｔｓ＿ｃｕｓｔｏｍスクリプトによって読み出されることになる。
以下の処置は、ｕｍｔｓ＿ｃｕｓｔｏｍにおいてなされる：
モードスイッチ、ドングルのｍｏｄｅｓｗｉｔｃｈ（スクリプト内にある）の後：
ａ）ドライバ（ＱＭＩ／ＮＣＭ／ＨＷＣＤＣ）に基づく  −  Ｌｉｎｕｘコマンドｉｎｓｍｏｄを用いて対応するドライバがロードされることになる、
ｂ）ｉｎｓｍｏｄを用いて、モジュールｉｎｉｔ機能にパラメータを送ることができる。パラメータとして、ベンダＩＤ／クラス／サブクラス／プロトコル／製品／インターフェース番号が送られることになる（動的ローディングのために取られる方法）。
【００２９】
４）ドライバレベルにおける処置
ａ）ドライバｐｒｏｄｕｃｔ＿ｔａｂｌｅリストにおいて、動的にデバイスを追加するために、最初の２つのエントリを予約する。
ｐｒｏｄｕｃｔ＿ｔａｂｌｅ［０］  −  ベンダＩＤ／クラス／サブクラス／プロトコル（Ａ１参照）に基づいて追加するために予約される
ｐｒｏｄｕｃｔ＿ｔａｂｌｅ［１］  −  ベンダ／製品／インターフェース番号（Ａ２参照）に基づいて追加するために予約される
ｂ）ｉｎｉｔ機能においてモジュールパラメータを入手する。
ｃ）渡された詳細に基づいて、ｐｒｏｄｕｃｔ＿ｔａｂｌｅ内の対応するエントリが埋められる。
ａ）ベンダＩＤ／クラス／サブクラス／プロトコルが０（デフォルト値）に等しくない場合は、パラグラフＡ１に従ってｐｒｏｄｕｃｔ＿ｔａｂｌｅ［０］が設定されることになる。
ｂ）ベンダ／製品／インターフェース番号が０（デフォルト値）に等しくない場合は、パラグラフＡ２に従ってｐｒｏｄｕｃｔ＿ｔａｂｌｅ［１］が設定されることになる。
ｃ）すべての他の入力の組み合わせは考慮されないことになる。
【００３０】
仮定：
１）ＵＳＢドングルは、ＵＳＢドライバの１つだけに取り付けすることができる。
【００３１】
２）ＵＳＢドングルは、上記に与えられた２つの方法Ａ１、Ａ２の１つに基づいてのみ取り付けすることができ、対応する詳細のみが渡されることになる。
【００３２】
従ってモバイル無線のためのモバイルＵＳＢドングルは、コマンドラインインターフェース（ＣＬＩ）において構成することができる。これまで、Ｌｉｎｕｘ  ＵＳＢ  ｏｐｔｉｏｎ．ｃ、およびｃｄｃ＿ａｃｍ．ｃオープンソースドライバを用いるＵＳＢドングルのみが使用できた。これらの２つのドライバは、ゲートウェイにおけるモバイルを通したポイントツーポイントプロトコル（ＰＰＰ）のための方法をもたらす。本発明により新しいＵＳＢドングルは、どのようにエンドポイントに取り付けするかをＵＳＢドライバに知らせる構成ファイル内に、製品ＩＤ（ＰＩＤ）および／またはベンダＩＤ（ＶＩＤ）を構成することによって、オンザフライで追加され得る。
【００３３】
ＵＳＢドライバはそれが、ＵＳＢドライバにおいて定義される必要があるＵＳＢクラスを認識する場合は、ＵＳＢドングルのエンドポイントに取り付けされる。構成ファイル内にこれらのパラメータを構成することによって、ＵＳＢドライバは、ｃプログラムコードの代わりにＣＬＩによって構成される新しいＵＳＢドングルに取り付けできるようになる。
【００３４】
また当業者によって本発明の範囲から逸脱せずに、本発明の他の実施形態を利用することができる。従って本発明は、本明細書の後に添付された特許請求の範囲に属する。
【図１】
2017515194.tif 000003
【図２】
2017515194.tif 000004
【国際調査報告】
2017515194.tif 000005
2017515194.tif 000006
2017515194.tif 000007